(57)【要約】【課題】製作コストが安価なトイレットペーパーの巻取装置を提供する。【解決手段】トイレットペーパーの巻取装置は、ロール状に巻かれたトイレットペーパー２を回動自在に支持する支持具１と、該支持具１の下方に配置された平板状の巻取具７であって、支持具１の軸３と略平行な軸６によって回動自在に支持された巻取具７と、該巻取具７にその軸６に沿って端縁まで達するように形成された切欠部１４とを備えている。【選択図】図１
0003110431.tif 000002
【実用新案登録請求の範囲】
【請求項１】
ロール状に巻かれたトイレットペーパーを回動自在に支持する支持具と、該支持具の下方に配置された平板状の巻取具であって、上記支持具の軸と略平行な軸によって回動自在に支持された巻取具と、該巻取具にその軸に沿って端縁まで達するように形成された切欠部とを備えたことを特徴とするトイレットペーパーの巻取装置。
【請求項２】
上記巻取具は、その両端縁を軸に沿って略平行に形成するとともに、これら端縁間の略中央に上記軸を配置し、該軸の両側に上記切欠部をそれぞれ配置したことを特徴とする請求項１に記載のトイレットペーパーの巻取装置。
【請求項３】
上記巻取具は、その肉厚が中央から端縁にかえて漸減するように一対の板材で構成するとともに、これら板材間の略中央に上記軸を配置したことを特徴とする請求項２に記載のトイレットペーパーの巻取装置。
【考案の詳細な説明】
【技術分野】
【０００１】
本考案はトイレットペーパーの巻取装置に関する。
【背景技術】
【０００２】
トイレットペーパーは、ロール状に巻かれた状態で支持具に取り付けられている。使用に際しては、この支持具からトイレットペーパーを引き出しながら所定のピッチで折り重ねている。しかし、このような作業は面倒であるばかりでなく、折り重ねピッチがばらつくと、トイレットペーパーが無駄になる。そこで、支持具の下方に回動自在に支持された巻取板を配設し、この巻取板に支持具から繰り出されるトイレットペーパーを巻き付ける装置が提案されている（特開２０００４−２５５１３９号参照）。
【考案の開示】
【考案が解決しようとする課題】
【０００３】
しかし、この装置は、支持具から繰り出されるトイレットペーパーの先端を一対の巻取板で挟んで保持しているため、複雑な機構が必要になり、製作コストが嵩むという欠点がある。
【０００４】
本考案は、このような事情に鑑み、製作コストが安価なトイレットペーパーの巻取装置を提供することを目的とする。
【課題を解決するための手段】
【０００５】
上記課題を解決するための本考案は、ロール状に巻かれたトイレットペーパーを回動自在に支持する支持具と、該支持具の下方に配置された平板状の巻取具であって、上記支持具の軸と略平行な軸によって回動自在に支持された巻取具と、該巻取具にその軸に沿って端縁まで達するように形成された切欠部とを備えたことを特徴とする。
【０００６】
上記巻取具は、その両端縁を軸に沿って略平行に形成するとともに、これら端縁間の略中央に上記軸を配置し、該軸の両側に上記切欠部をそれぞれ配置するのが好ましい。
【０００７】
上記巻取具は、その肉厚が中央から端縁にかえて漸減するように一対の板材で構成するとともに、これら板材間の略中央に上記軸を配置したことを特徴とするのが好ましい。
【考案の効果】
【０００８】
本考案によれば、支持具から繰り出されるトイレットペーパーの先端を巻取具の切欠部に通し、巻取具を回転させてトイレットペーパーを巻き取ればよく、巻き取られたトイレットペーパーの取り外しに際しては、このトイレットペーパーを巻取具の切欠部の開口側にスライドさせるだけよいので、トイレットペーパーの挟持機構が不要になり、製作コストの低減を図ることができる。
【考案を実施するための最良の形態】
【０００９】
以下、本考案の実施形態を添付図面に基づいて詳細に説明する。
【００１０】
図１は本考案のトイレットペーパーの巻取装置を示す斜視図、図２は図１のＡ−Ａ線断面図である。
【００１１】
同図において、１はトイレットペーパー２の支持具で、ロール状に巻かれたトイレットペーパー２を略水平な軸３の回りに回動自在に支持してある。この支持具１は取付部材４を介して建物の壁５に固定されている。
【００１２】
支持具１の下方には、支持具１の軸３と略平行な軸６によって回動自在に支持された平板状の巻取具７が配設してある（図２参照）。この巻取具７は、その肉厚が中央から端縁にかえて漸減するように一対の板材８で構成するとともに、これら板材８間の略中央に軸６を配置してある。つまり、これら板材８は略四角形に形成してあり、その両端縁８ａが軸６と略平行になっている。
【００１３】
そして、六角形の連結部材９に軸部材１０を挿通し、この連結部材９を一対の板材８で挟み、これらの部材８,９,１０をビス１１で互いに固定してある。さらに、軸部材１０の一端はボルト１２やワッシャー１３などを用いて取付部材４の縦壁部４ａに回動自在に支持してある。軸部材１０の他端はローレットを形成して取手部１０を構成してある。
【００１４】
巻取具７は、切欠部１４を軸６に沿って端縁まで達するように各板材８に形成するとともに、この切欠部１４を軸６の両側にそれぞれ配置してある。
【００１５】
このトイレットペーパーの巻取装置は以上のように構成してあるので、使用に際しては、まず図３に示すように、支持具１から繰り出されるトイレットペーパー２の先端を巻取具７の切欠部１４に通す。
【００１６】
次いで、図４に示すように巻取具７を矢印方向に回転させてトイレットペーパー２を巻き取る。巻き取りの初期段階では、トイレットペーパー２を摘んで板材８に軽く押し付けた状態で巻取具７を回転させ、トイレットペーパー２が巻取具７に約１回分だけ巻き取られた後は、軸部材１０の取手部１０を摘んで巻取具７を回転させる。なお、トイレットペーパー２の切欠部１４に対する挿通長を十分に大きくしておけば、取手部１０だけで巻取具７を一気に回転させてもよい。
【００１７】
そして、トイレットペーパー２が巻取具７に所定回数だけ巻き取られた段階で、図５に示すように、トイレットペーパー２を支持具１と巻取具７との間で破断し、巻取具７に巻き取られたトイレットペーパー２を切欠部１４の開口側にスライドさせて、巻取具７から取り外せばよい。
【００１８】
このトイレットペーパーの巻取装置によれば、トイレットペーパー２の挟持機構が不要になり、製作コストの低減を図ることができる。
【００１９】
さらに、巻取具７は肉厚が中央から端縁にかえて漸減するように形成されているので、トイレットペーパー２は、巻取具７から取り外された際、内部に適度の空間を形成した状態で折り畳まれることになり、使い勝手が非常に良い。
【００２０】
なお、図３に示すように巻取具７を寝かせおくと、トイレットペーパー２の先端を巻取具７の切欠部１４に通すのが容易になる。この巻取装置では、巻取具７の軸受部に適度の摩擦力を生じさせることによって、巻取具７を寝かせた状態で保持できるようにしてあるが、巻取具７の軸受部にラチェット機構を設けて巻取具７の姿勢を保持するようにしてもよい。
【図面の簡単な説明】
【００２１】
【図１】本考案のトイレットペーパーの巻取装置を示す斜視図。
【図２】図１のＡ−Ａ線断面図。
【図３】図１の巻取装置の使用手順を説明する図。
【図４】図１の巻取装置の使用手順を説明する図。
【図５】図１の巻取装置の使用手順を説明する図。
【符号の説明】
【００２２】
１      支持具
２      トイレットペーパー
３      支持具の回転軸
６      巻取具の回転軸
７      巻取具
８      板材
８ａ    端縁
１０    軸部材
１０ａ  取手部
１４    切欠部
【図１】
0003110431.tif 000003
【図２】
0003110431.tif 000004
【図３】
0003110431.tif 000005
【図４】
0003110431.tif 000006
【図５】
0003110431.tif 000007